(57)【特許請求の範囲】
【請求項１】
支持脚に立設した固定柱と、試料溶液を入れるフラスコを回転させる駆動部を有するロータリーエバポレータ本体を支持して、前記固定柱に昇降可能に外嵌された移動柱と、前記固定柱の上部と前記移動柱の下部に接続して、前記移動柱を上方に付勢する方向に作用する定荷重バネと、前記移動柱の上下位置を所望の高さに保持する保持機構を備えたロータリーエバポレータにおいて、前記保持機構は、前記固定柱に上下方向に固設されるラックと、前記移動柱に設けられる係止部材と、該係止部材を後退方向に付勢するスプリングと、前記係止部材の後端面に回転可能に設けられたハンドルとで構成され、前記係止部材は、先端に前記ラックに噛合する歯先を有するものであって、前記移動柱の周壁前面を貫通して前記ラック方向に進退可能に設けられ、前記ハンドルは、先端に軸方向に直交するピンを有し、前記係止部材の後端面には、前記ピンが当接する浅溝及び深溝及び該浅溝と深溝との間を連続する傾斜面とが形成され、前記ピンは、前記ハンドルの回転によって、前記傾斜面に沿って案内されて前記浅溝と前記深溝とに移動し、前記浅溝は、前記ハンドルの回転により前記深溝から前記傾斜面に沿って移動した前記ピンが当接した際に、前記スプリングの付勢力に抗して前記係止部材を前進させて前記歯先を前記ラックの歯に噛合させる深さに形成され、前記深溝は、前記ハンドルの回転により前記浅溝から前記傾斜面に沿って移動した前記ピンが当接した際に、前記スプリングの付勢力により前記係止部材を後退させて前記歯先を前記ラックの歯から離脱する深さに形成され、前記ハンドルの回転によって前記ピンが浅溝から移動して前記深溝に当接した状態で前記移動柱を昇降させ、所望高さに達したら前記ハンドルの逆回転によって前記ピンを前記深溝から前記浅溝に移動させ、前記係止部材の歯先を前記ラックに噛合させて、所定の高さに移動した前記移動柱を保持することを特徴とするロータリーエバポレータ。
【発明の詳細な説明】
【０００１】
【発明の属する技術分野】
本発明は、ロータリーエバポレータに関する。
【０００２】
【従来の技術】
ロータリーエバポレータは、支持脚に立設した固定柱に移動柱を上下方向に移動可能に設け、該移動柱にて駆動部等のロータリーエバポレータ本体を支持している。駆動部には、試料溶液を入れるフラスコと、蒸発した試料を凝縮する凝縮器とを接続され、凝縮器に、凝縮した試料を回収する回収フラスコを接続されている。このロータリーエバポレータは、フラスコ内の試料溶液を濃縮する際に、移動柱を昇降してフラスコを恒温水槽に浸してその位置を保持する。また、濃縮終了後にフラスコを非加熱状態にする際にも、フラスコを恒温水槽から上昇させてその位置を保持する。このため、図１６に示されるように、支持脚１に立設した固定柱２に、駆動部等のロータリーエバポレータ本体を支持する移動柱３を上下方向に移動可能に設け、移動柱３を所望の高さに保持する保持機構として、移動柱３に設けたレバー４の先端を、固定柱２に上下方向に形成した複数の孔５に係止している。
【０００３】
【発明が解決しようとする課題】
ところが、上述の構造では、固定柱に形成した各孔の間隔が広いため、フラスコを保持する高さが細かく設定できなかった。また、フラスコの着脱を頻繁に行うので、操作の容易な昇降装置が望まれている。
【０００４】
そこで本発明は、操作が容易で、細かな間隔でフラスコの高さを保持できるロータリーエバポレータを提供することを目的としている。
【０００５】
【課題を解決するための手段】
上記した目的を達成するため、本発明は、支持脚に立設した固定柱と、試料溶液を入れるフラスコを回転させる駆動部を有するロータリーエバポレータ本体を支持して、前記固定柱に昇降可能に外嵌された移動柱と、前記固定柱の上部と前記移動柱の下部に接続して、前記移動柱を上方に付勢する方向に作用する定荷重バネと、前記移動柱の上下位置を所望の高さに保持する保持機構を備えたロータリーエバポレータにおいて、前記保持機構は、前記固定柱に上下方向に固設されるラックと、前記移動柱に設けられる係止部材と、該係止部材を後退方向に付勢するスプリングと、前記係止部材の後端面に回転可能に設けられたハンドルとで構成され、前記係止部材は、先端に前記ラックに噛合する歯先を有するものであって、前記移動柱の周壁前面を貫通して前記ラック方向に進退可能に設けられ、前記ハンドルは、先端に軸方向に直交するピンを有し、前記係止部材の後端面には、前記ピンが当接する浅溝及び深溝及び該浅溝と深溝との間を連続する傾斜面とが形成され、前記ピンは、前記ハンドルの回転によって、前記傾斜面に沿って案内されて前記浅溝と前記深溝とに移動し、前記浅溝は、前記ハンドルの回転により前記深溝から前記傾斜面に沿って移動した前記ピンが当接した際に、前記スプリングの付勢力に抗して前記係止部材を前進させて前記歯先を前記ラックの歯に噛合させる深さに形成され、前記深溝は、前記ハンドルの回転により前記浅溝から前記傾斜面に沿って移動した前記ピンが当接した際に、前記スプリングの付勢力により前記係止部材を後退させて前記歯先を前記ラックの歯から離脱する深さに形成され、前記ハンドルの回転によって前記ピンが浅溝から移動して前記深溝に当接した状態で前記移動柱を昇降させ、所望高さに達したら前記ハンドルの逆回転によって前記ピンを前記深溝から前記浅溝に移動させ、前記係止部材の歯先を前記ラックに噛合させて、所定の高さに移動した前記移動柱を保持することを特徴としている。
【０００７】
【発明の実施の形態】
以下、本発明を、図１乃至図１５に示す実施形態例に基づいて、さらに詳細に説明する。なお、前記従来例と同一要素には同一の符号を付して説明する。ロータリーエバポレータ１０は、支持脚１に固定柱２を立設し、該固定柱２に移動柱３を上下方向に移動可能に外嵌し、該移動柱３に駆動部１１を支持する支柱１２を上下方向に移動可能に設けている。
【０００８】
駆動部１１は、支柱１２上部にジョイント１３を介して設けられ、駆動部１１の傾斜角度を変更可能としている。該駆動部１１には、試料溶液を入れるフラスコ１４と、蒸発した試料を凝縮する凝縮器１５とを接続するホルダー１６が設けられ、凝縮器１５には凝縮した試料を回収する回収フラスコ１７が設けられている。前記支柱１２は、移動柱３の前面側に配置され、縮小時には、固定柱２の前面側内に収納されるもので、固定ネジ１８の締め付けにより固定される。固定ネジ１８は、移動柱３に設けられたボルト１８ａと、移動柱３と支柱１２間に介在するカラー１８ｂと、支柱１２に形成された縦方向の切り込み１２ａ裏面に配置されたナットプレート１８ｃとで構成されている。また、切り込み１２ａ上部には、固定ネジ１８が緩んだ場合に、ナットプレート１８ｃに衝突して衝撃を緩衝させるウレタン等の緩衝部材１２ｂが設けられている。
【０００９】
前記固定柱２には、前面にラック１９が上下方向に固設されている。このラック１９は、中央の隆状の両側に複数の歯を細かな間隔で刻設している。また、固定柱２の上後部には、定荷重バネ２０と、移動柱３に接触するローラー２１，２２とが設けられている。移動柱３には、固定柱２のラック１９中央の隆状に接触するローラー２３と、固定柱２の後面に接触するローラー２４とが設けられている。これら各ローラー２１，２２，２３，２４により、移動柱３がスムースに昇降する。
【００１０】
前記定荷重バネ２０は、移動柱３を含む上部、すなわち、移動柱３、支柱１２、前記駆動部１１及び駆動部１１に取り付けられる機器であるフラスコ１４、凝縮器１５、回収フラスコ１７等のロータリーエバポレータ本体の重量にバランスする付勢力を有する帯状のバネで、軸に巻き掛けられ、先端を移動柱３の下部に係止している。この定荷重バネ２０は、移動柱３を下降させると図１に示されるように伸び、移動柱３を上昇させる際に、巻き戻される付勢力で移動柱３を含む上部を上昇させるので、大きな力を要さずに上昇させることができる。
【００１１】
また、移動柱３を所定の高さに保持する保持機構は、前記ラック１９と、移動柱３に設けられて前記ラック１９に噛合する係止部材２５と、該係止部材２５を後退方向に付勢するスプリング２６と、係止部材２５を前進させるハンドル２７とで構成されている。
【００１２】
係止部材２５は、先端に前記ラック１９に噛合する歯先２５ａを有し、移動柱３に進退可能に設けられている。前記スプリング２６は、移動柱３の壁面と係止部材２５の段部との間に縮設されている。前記ハンドル２７は、先端に軸方向に直交するピン２８を有している。前記係止部材２５の後端面には、ハンドル２７のピン２８が当接する浅溝２９と深溝３０とが形成され、該浅溝２９と深溝３０との間は、傾斜面３１で連続している。
【００１３】
前記浅溝２９は、ハンドル２７のピン２８の当接により、前記歯先２５ａを前記ラック１９の歯に噛合させる深さに形成され、前記深溝３０は、ハンドル２７の回転により、ピン２８が浅溝２９から傾斜面３１に沿って移動して深溝３０に当接した際に、前記歯先２５ａが前記ラック１９の歯から離脱する深さに形成されている。前記傾斜面３１は、ハンドル２７を回転によりに、ピン２８が浅溝２９に係脱する際にクリック感を感ずるように形成されている。
【００１４】
このように構成することにより、ハンドル２７を反時計方向に回転すれば、ピン２８が浅溝２９から傾斜面３１に沿って移動して深溝３０に当接して、係止部材２５の歯先２５ａをラック１９の歯から離脱する。この状態で、ハンドル２７を上へ持ち上げると、定荷重バネ２０の作用により移動柱３を含む上部を少ない力で上昇させる。所望の高さに上昇させたら、ハンドル２７を時計方向に回転して、ピン２８を深溝３０から浅溝２９に移動させ、係止部材２５の歯先２５ａをラック１９の歯に噛合させて保持する。したがって、保持機構の操作が容易に行える。しかも、昇降操作の際に、ラック１９の歯が細かな間隔で刻設されているから、図１４に示されるように、フラスコ１４を恒温水槽３２に浸して加熱する場合に、フラスコ１４の高さを細かく設定できる。また、濃縮終了後にフラスコ１４を非加熱状態にするために、フラスコ１４を恒温水槽３２から上昇させる高さを細かく設定できる。
【００１５】
また、図１５に示されるように、フラスコ１４とホルダー１６との間にトラップ球３３を介在させる場合には、支柱１２を上方へ延出して駆動部１１を高くし、傾斜させることによって容易に対応できる。さらに、支柱１２を移動柱３に上下方向に移動可能に設けることにより、サイズの異なるフラスコやトラップ球を駆動部１１に接続しても、駆動部１１の高さを最適な位置とすることができる。しかも、恒温水槽がロータリーエバポレータにセットされた純正品でなくても対応できる。
【００１６】
【発明の効果】
以上説明したように、本発明のロータリーエバポレータの昇降装置は、固定柱に昇降可能に設けた移動柱を所望の高さに保持する保持機構を、固定柱に上下方向に固設されるラックと、移動柱に進退可能に設けられてラックに噛合する歯先を有する係止部材と、係止部材を後退方向に付勢するスプリングと、係止部材の後端面に当接するピンを有するハンドルとで構成し、係止部材の後端面に、ピンの当接により歯先をラックに噛合させる浅溝と、歯先がラックから離脱する深さの深溝と、深溝と浅溝との間を連続する傾斜面とを形成したので、保持機構の操作が容易に行え、しかも、ラックの歯が細かな間隔で刻設されているから、細かな間隔で高さを保持できる。
【００１７】
また、固定柱に、駆動部等のロータリーエバポレータ本体及び移動柱の重量にバランスする付勢力を有する定荷重バネを設置することにより、昇降操作が容易にできる。さらに、移動柱に、駆動部等のロータリーエバポレータ本体を支持する支柱を上下方向に移動可能に設けることにより、昇降ストロークを長くでき、サイズの異なるフラスコやトラップ球あるいは恒温水槽を使用しても対応可能である。
【図面の簡単な説明】
【図１】  本発明のロータリーエバポレータの要部断面図
【図２】  係止部材の歯先がラックに噛合した状態の斜視図
【図３】  同じく断面図
【図４】  図３のＩＶ−ＩＶ断面図
【図５】  図３のＶ−Ｖ断面図
【図６】  係止部材の歯先がラックから離脱した状態の斜視図
【図７】  同じく断面図
【図８】  図７のＶＩＩＩ−ＶＩＩＩ断面図
【図９】  図７のＩＸ−ＩＸ断面図
【図１０】  図１のＸ−Ｘ断面図
【図１１】  図１のＸＩ−ＸＩ断面図
【図１２】  移動柱と支柱を伸長させた状態の斜視図
【図１３】  駆動部の背面図
【図１４】  小容量のフラスコを使用したロータリーエバポレータの正面図
【図１５】  フラスコにトラップ球を接続したロータリーエバポレータの正面図
【図１６】  従来の昇降装置の断面図
【符号の説明】
１…支持脚、２…固定柱、３…移動柱、１０…ロータリーエバポレータ、１１…駆動部、１２…支柱、１９…ラック、２０…定荷重バネ、２５…係止部材、２５ａ…係止部材の歯先、２６…スプリング、２７…ハンドル、２８…ピン、２９…浅溝、３０…深溝、３１…傾斜面
【図１】
0004712181.tif 000002
【図２】
0004712181.tif 000003
【図３】
0004712181.tif 000004
【図４】
0004712181.tif 000005
【図５】
0004712181.tif 000006
【図６】
0004712181.tif 000007
【図７】
0004712181.tif 000008
【図８】
0004712181.tif 000009
【図９】
0004712181.tif 000010
【図１０】
0004712181.tif 000011
【図１１】
0004712181.tif 000012
【図１２】
0004712181.tif 000013
【図１３】
0004712181.tif 000014
【図１４】
0004712181.tif 000015
【図１５】
0004712181.tif 000016
【図１６】
0004712181.tif 000017